(57)【特許請求の範囲】
【請求項１】
改質器本体の中央部にその上下方向に伸長する燃焼ガス流動路を有し、該燃焼ガス流動路の上部においてバーナーノズルから噴射される燃料を燃焼させることによって生成される燃焼ガスを下方へ流動させて該燃焼ガス流動路を包囲して配設された過熱器及び気化器を加熱することにより、燃料ガス原料を気化、過熱し、次いで、触媒により水素リッチガスに改質する燃料電池電源装置用改質器において、
前記燃焼ガス流動路に前記燃焼ガスの流動方向に相互に所定間隔をおいて配設された複数の流動安定板を備え、
前記流動安定板は、
大径の上部開口端と小径の下部開口端とを有する円錐台状に形成されると共に、前記燃焼ガスが噴出する噴出孔が周面に設けられた円錐台状拡散板と、
前記下部開口端を封止する底板と、
を備えることを特徴とする燃料電池電源装置用改質器。
【請求項２】
複数の前記流動安定板のうち少なくとも１つの前記流動安定板の前記底板は、前記上部開口端側に向かって突出する円錐状に形成されることを特徴とする請求項１に記載の燃料電池電源装置用改質器。
【請求項３】
複数の前記流動安定板のうち、前記燃焼ガスの流動方向の下流側に配設された前記流動安定板の前記底板は、前記上部開口端側に向かって突出する円錐状に形成されることを特徴とする請求項１に記載の燃料電池電源装置用改質器。
【請求項４】
前記流動安定板は、前記燃焼ガスの流動方向の上流側から下流側に向かって順次大型化されることを特徴とする請求項１〜３の何れか一項に記載の燃料電池電源装置用改質器。
【請求項５】
前記流動安定板は、前記燃焼ガスの流動方向を軸として、回転可能に支持され、前記円錐台状拡散板の内壁には凹部が形成されており、
前記凹部の傾斜面には、前記流動安定板の一方の回転方向に向けて貫通した噴出孔が形成されることを特徴とする請求項１〜４の何れか一項に記載の燃料電池電源装置用改質器。
【請求項６】
前記バーナーノズルは、前記改質器本体の傾斜時に、重力方向に対する前記改質器本体の傾斜角よりも、重力方向に対する燃料の噴射角が大きくなる向きに、燃料噴射方向が制御されることを特徴とする請求項１〜５の何れか一項に記載の燃料電池電源装置用改質器。
【発明の詳細な説明】
【技術分野】
【０００１】
本発明は、燃料電池電源装置用改質器、特に、可搬式燃料電池電源装置において運転時の姿勢に拘わりなく燃料ガスを燃料電池本体に安定供給するための改質器の構造に関するものである。
【背景技術】
【０００２】
従来、燃料電池電源装置として、天然ガスやアルコール等の燃料ガス原料を触媒等で水素リッチガスに改質する改質器を備えるものが知られている（例えば、特許文献１参照）。この改質器は、図６に示すように、改質器５０Ａの改質器本体１０の上部に配設されたバーナーノズル２と、該バーナーノズル２の下方に形成される燃焼ガス流動路２０の中心軸と同軸に上下に配設された環状の気化器４および過熱器５と、それらを包囲する隔壁の外側に配設された環状の触媒６と、を含んで構成されている。また、改質器５０Ａは、バーナー燃料供給管１から供給される燃料をバーナーノズル２で燃焼させ、その燃焼ガスで気化器４を加熱してその内部を流動する改質燃料供給管３から供給される燃焼ガス原料を気化させている。更に、改質器５０Ａは、気化した燃焼ガス燃料を過熱器５で過熱した後、触媒６で水素リッチガスに改質し、水素リッチガスを燃料ガスとして燃焼供給管７から燃料電池本体に供給している。また、改質器５０Ａの改質器本体１０の上部には、改質器内に空気を導入する空気供給ファン８と、燃焼後のガスを改質器本体１０外へ排出するための燃焼ガス出口９と、が設けられている。
【先行技術文献】
【特許文献】
【０００３】
【特許文献１】特開昭６３−３０３０２号公報
【発明の概要】
【発明が解決しようとする課題】
【０００４】
このような改質器５０Ａを水平状態で作動させた場合、燃焼ガスが燃焼ガス流動路２０内をほぼ均一に流れるため、過熱器５および気化器４を均一に加熱することができる。しかしながら、図７に示すように改質器５０Ａを傾斜状態で作動させると、重力の作用により燃焼ガスが燃焼ガス流動路２０の中心線より下側に多く流れるため、気化器４および過熱器５が局部的に強く加熱されてそれらの加熱が不均一となる。これにより、燃料の変換効率が低下し、燃料電池本体に供給される燃料の供給が不安定となって電源装置の出力が低下するという問題がある。
【０００５】
そこで本発明は、傾斜状態であっても安定した運転が可能な燃料電池電源装置用改質器を提供することを目的とする。
【課題を解決するための手段】
【０００６】
本発明に係る燃料電池電源装置用改質器は、改質器本体の中央部にその上下方向に伸長する燃焼ガス流動路を有し、該燃焼ガス流動路の上部においてバーナーノズルで生成される燃焼ガスを下方へ流動させて該燃焼ガス流動路を包囲して配設された過熱器及び気化器を加熱することにより、燃料ガス原料を気化、過熱し、次いで、触媒により水素リッチガスに改質する燃料電池電源装置用改質器において、燃焼ガス流動路に燃焼ガスの流動方向に相互に所定間隔をおいて配設された複数の流動安定板を備え、流動安定板は、大径の上部開口端と小径の下部開口端とを有する円錐台状に形成されると共に、燃焼ガスが噴出する噴出孔が周面に設けられた円錐台状拡散板と、下部開口端を封止する底板と、を備えて構成される。
【０００７】
この発明では、円錐台状拡散板と底板とを含んで構成された流動安定板によって燃焼ガスが受け止められた後、噴出孔から燃焼ガスが噴出される。このため、流動安定板に吹き付けられた燃焼ガスを確実に噴出孔から噴出させて改質器本体内で拡散させることができ、燃料電池電源装置用改質器が傾斜状態であっても、気化器および過熱器の加熱が均一となり、燃料電池電源装置用改質器を安定して運転させることが可能となる。また、流動安定板に設ける噴出孔を、例えば、円錐台状拡散板の周方向等間隔に複数個設けるなど、噴出孔の数や位置を変更するだけで、容易に燃焼ガスを均一に分散させることができる。また、特に改質器本体内に液体燃料を噴出させて燃焼させる場合には、液体燃料のうち未気化や未燃焼部分があったとしても、液体燃料の液滴が流動安定板の内側で受け止められる。受け止められた液滴は、流動安定板に吹き付けられた燃焼ガスによって再気化し、再燃焼するので、燃焼性能が向上する。これにより、排気ガスのＣＯ濃度を低下させたり、ＮＯＸ濃度を低下させたりすることができる。
【０００８】
また、複数の流動安定板のうち少なくとも１つの流動安定板の底板を、上部開口端側に向かって突出する円錐状に形成してもよい。これにより、流動安定板の受け止め面の面積を増大させることができるので、燃焼ガスを確実に受け止めることが可能となるとともに、燃焼ガスを確実に噴出孔から噴出させて改質器本体内で拡散させることができる。
【０００９】
また、複数の流動安定板のうち、燃焼ガスの流動方向の下流側に配設された流動安定板の底板を、上部開口端側に向かって突出する円錐状に形成してもよい。これにより、底板が円錐状に形成されていない断面Ｖ字状の流動安定板によって燃焼ガスが受け止められた後、改質器本体内に拡散され、更に、その下流側において、底板が円錐状に形成された断面Ｗ字状の流動安定板によって燃焼ガスが受け止められた後、改質器本体内に拡散される。このため、より確実に燃焼ガスを改質器本体内において拡散させることができ、傾斜状態であっても、気化器および過熱器の加熱が均一となり、燃料電池電源装置用改質器をより安定して運転させることが可能となる。
【００１０】
また、流動安定板を、燃焼ガスの流動方向の上流側から下流側に向かって順次大型化することが好適である。これにより、上流側に配置された流動安定板によって受け止め損ねた燃焼ガスを、下流側に配置された流動安定板によって受け止めることができる。このため、燃焼ガス流動路２０を流れる燃焼ガスをより確実に受け止めることができ、より多くの燃焼ガスを効率よく受け止めて拡散させることが可能となる。
【００１１】
また、流動安定板は、燃焼ガスの流動方向を軸として、回転可能に支持され、円錐台状拡散板の内壁には凹部が形成されており、凹部の傾斜面には、流動安定板の一方の回転方向に向けて貫通する噴出孔を形成することが好ましい。これにより、円錐台状拡散板の外周面に沿う方向に燃焼ガスが噴出孔から噴出される。このため、噴出された燃焼ガスの反力によって流動安定板が回転し、噴出孔から噴出される燃焼ガスが流動安定板の周囲に渦巻状に拡散され、改質器本体内により均一に分散させることができる。
【００１２】
また、バーナーノズルは、改質器本体の傾斜時に、重力方向に対する改質器本体の傾斜角よりも、重力方向に対する燃料の噴射角が大きくなる向きに、燃料噴射方向が制御されることが好適である。これにより、燃料噴射方向を傾斜させずに燃料電池電源装置用改質器を傾斜させた場合には、重力によって下方側に落下し改質器内に燃焼ガスが偏って噴射されてしまうが、バーナーノズルから噴射する燃料の角度を傾斜させることにより、重力による落下分を相殺して改質器内に燃焼ガスを均一に噴射することができる。
【発明の効果】
【００１３】
本発明によれば、傾斜状態であっても、燃料電池電源装置用改質器を安定して運転させることができる。
【図面の簡単な説明】
【００１４】
【図１】実施形態に係る燃料電池電源装置用改質器の構造を示す断面図である。
【図２】実施形態に係る燃料電池電源装置用改質器の流動安定板を示す斜視図である。
【図３】実施形態に係る燃料電池電源装置用改質器のＶ字流動安定板を示す断面図である。
【図４】実施形態に係る燃料電池電源装置用改質器のＷ字流動安定板を示す断面図である。
【図５】実施形態に係る燃料電池電源装置用改質器の傾斜時における燃料噴射方向を示す断面図である。
【図６】従来の燃料電池電源装置用改質器を示す断面図である。
【図７】従来の燃料電池電源装置用改質器の傾斜時における断面図である。
【発明を実施するための形態】
【００１５】
以下、図面を参照しつつ本発明に係る燃料電池電源装置用改質器の好適な実施形態について詳細に説明する。なお、図面の説明において同一の要素には同一の符号を付し、重複する説明を省略する。
【００１６】
まず、本実施形態に係る燃料電池電源装置用改質器の全体構成について説明する。図１は、燃料電池電源装置用改質器を示す断面図である。燃料電池電源装置用改質器５０（以下、単に改質器５０と呼ぶ）は、バーナー燃料供給管１と、バーナーノズル２と、改質燃料供給管３と、気化器４と、過熱器５と、触媒６と、改質ガス排出管７と、空気供給ファン８と、燃焼ガス出口９と、改質器本体１０と、を含んで構成されている。これらは図５，図６に示す従来の改質器５０Ａのものと同様に構成されている。
【００１７】
改質器５０は、その内部に形成される燃焼ガス流動路２０に断面がＶ字状のＶ字流動安定板１１０と、断面がＷ字状のＷ字流動安定板１２０とを備えている。なお、Ｖ字流動安定板１１０とＷ字流動安定板１２０とを総称して流動安定板１００と呼ぶ。流動安定板１００は、改質器５０の改質器本体１０の底部に立設された支持軸１２に、燃焼ガスの流動方向（図１中の上下方向）に所定間隔をおいて回転可能に支持されている。
【００１８】
ここで、流動安定板１００の詳細について説明する。図２は、流動安定板１００の詳細を示す斜視図である。図３（ａ）は、Ｖ字流動安定板１１０の構造の詳細を示す断面図であり、図３（ｂ）は、図３（ａ）におけるＡ−Ａ部断面図である。また、図４は、Ｗ字流動安定板１２０の構造の詳細を示す断面図である。まず、Ｖ字流動安定板１１０の詳細について説明する。図２，図３（ａ）および図３（ｂ）に示すように、Ｖ字流動安定板１１０は、大径の上部開口端１１１Ａと小径の下部開口端１１１Ｂとを有する円錐台状に形成された円錐台状拡散板１１１と、円錐台状拡散板１１１の下部開口端１１１Ｂを封止する平状底板１１２（特許請求の範囲における底板）と、より構成されている。Ｖ字流動安定板１１０は、平状底板１１２に設けられた支持孔１１３に支持軸１２が挿通されることによって、支持軸１２に対して回転可能に支持されている。円錐台状拡散板１１１には、その内壁に凹部が形成されている。具体的には、Ｖ字流動安定板１１０の内側から外側に向かって押し出すように凹部が形成され、これにより、外側に突出した突起部２００が設けられ、更に、突起部２００の傾斜面に噴出孔２０１が形成されている。
【００１９】
ここで、Ｖ字流動安定板１１０は、支持軸１２を軸として、右回り・左回りの両方向に回転可能となっている。噴出孔２０１は、Ｖ字流動安定板１１０の一方の回転方向に向けて貫通されている。すなわち、噴出孔２０１は、図３（ｂ）に示すように、突起部２００の傾斜面におけるＶ字流動安定板１１０の回転可能方向の一方側の面に形成されている。なお、本実施形態では、突起部２００の傾斜面のうち、燃焼ガス流動路２０の上流側から見てＶ字流動安定板１１０を左回りに回転させたときの進行方向側の面に噴出孔２０１を形成するものとする。詳しくは後述するが、燃焼ガス流動路２０の上流側からＶ字流動安定板１１０に吹き付けられた燃焼ガスは、Ｖ字流動安定板１１０の内側から噴出孔２０１を介して円錐台状拡散板１１１の外周面に沿う方向に噴出される。噴出孔２０１から噴出された燃焼ガスの反力により、Ｖ字流動安定板１１０が、燃焼ガス流動路２０の上流側から見て右回りに回転する。
【００２０】
次に、Ｗ字流動安定板１２０の詳細について説明する。図２，図４に示すように、Ｗ字流動安定板１２０は、大径の上部開口端１２１Ａと小径の下部開口端１２１Ｂとを有する円錐台状に形成された円錐台状拡散板１２１と、円錐台状拡散板１２１の下部開口端１２１Ｂを封止する円錐状底板１２２（特許請求の範囲における底板）と、より構成されている。円錐状底板１２２は、円錐台状拡散板１２１の上部開口端１２１Ａ側に向かって突出する円錐状に形成されている。Ｗ字流動安定板１２０は、円錐状底板１２２に設けられた支持孔１２３に支持軸１２が挿通されることによって、支持軸１２に対して回転可能に支持されている。円錐台状拡散板１２１には、その内壁に凹部が形成されている。具体的には、円錐台状拡散板１２１の内側から外側に向かって押し出すように凹部が形成され、これにより外側に突出した突起部２００が設けられ、更に、突起部２００の傾斜面に噴出孔２０１が形成されている。なお、Ｗ字流動安定板１２０に設けられる噴出孔２０１の構成は、Ｖ字流動安定板１１０に設けられる噴出孔２０１の構成と同じであり、説明を省略する。Ｗ字流動安定板１２０は、噴出孔２０１から噴出される燃焼ガスの反力により、Ｖ字流動安定板１１０と同様に、燃焼ガス流動路２０の上流側から見て右回りに回転する。
【００２１】
Ｗ字流動安定板１２０は、Ｖ字流動安定板１１０よりも大型化されている。即ち、流動安定板１００は、燃焼ガス流動路２０の上流側から下流側にいくに従って順次大型化されている。なお、Ｗ字流動安定板１２０は、Ｖ字流動安定板１１０の上部開口端１１１Ａの径よりも、上部開口端１２１Ａの径が１倍以上となるように形成されることが好ましい。
【００２２】
次に、改質器５０の動作について説明する。改質器５０の運転時には、空気供給ファン８で空気を改質器５０内に導入し、バーナー燃料供給管１から供給される燃料をバーナーノズル２から噴射して燃焼させる。燃焼により生成した燃焼ガスは流動路２０を図１中の下向きに流れ、その一部がＶ字流動安定板１１０のＶ字形状内側空間に導入される。燃焼ガスは、Ｖ字流動安定板１１０の内側面で受け止められた後、噴出孔２０１からＶ字流動安定板１１０の外部へ噴出される。このとき、燃焼ガスが円錐台状拡散板１１１の外周面に沿う方向に噴出されることにより、Ｖ字流動安定板１１０が回転する。Ｖ字流動安定板１１０の回転により、噴出孔２０１から噴出される燃焼ガスがＶ字流動安定板１１０の周囲に渦巻状に拡散され、改質器本体１０内に均一に分散される。
【００２３】
Ｖ字流動安定板１１０のＶ字形状内側空間に導入されなかった燃焼ガスは、その下流側に配置されたＷ字流動安定板１２０における円錐台状拡散板１２１と円錐状底板１２２の間に形成される環状の空間に導入される。燃焼ガスは、環状の空間を構成する円錐台状拡散板１２１と円錐状底板１２２とによって受け止められた後、噴出孔２０１からＷ字流動安定板１２０の外部へ噴出される。このとき、Ｖ字流動安定板１１０の場合と同様に、燃焼ガスが円錐台状拡散板１２１の外周面に沿う方向に噴出されることにより、Ｗ字流動安定板１２０が回転する。また、Ｗ字流動安定板１２０の回転により、噴出孔２０１から噴出される燃焼ガスがＷ字流動安定板１２０の周囲に渦巻状に拡散され、改質器本体１０内に均一に分散される。
【００２４】
流動安定板１００によって拡散された燃焼ガスは、流動安定板１００の周囲に配置された過熱器５および気化器４の表面に均一に当たり、過熱器５および気化器４を均一に加熱する。
【００２５】
また、改質器５０を傾斜状態で運転した場合でも、流動安定板１００によって燃焼ガスが渦巻き状に拡散しながら過熱器５および気化器４に吹き付けられるため、改質器の傾きによる影響は最小限に抑制され、気化器４および過熱器５を均一に加熱でき、燃料電池本体に燃料ガスを安定して供給することができる。
【００２６】
また、バーナーノズル２は、図示しない駆動機構によって傾きが制御される。即ち、燃料の噴射方向が制御可能となっている。改質器５０が傾斜地に設置された場合には、図５に示すように、重力方向に対する改質器５０の傾斜角αよりも、重力方向に対する燃料の噴射角βが大きくなるように、燃料噴射方向を制御する。これにより、バーナーノズル２から燃料を噴射することによって生成された燃焼ガスが、重力による落下分が相殺されて、改質器本体１０内に均一に噴射される。
【００２７】
本実施形態は以上の構成としたので、流動安定板１００によって、バーナーノズル２から噴射された燃料が受け止められた後、流動安定板１００に設けられた噴出孔２０１から燃焼ガスが噴出される。このため、バーナーノズル２から流動安定板１００に吹き付けられた燃焼ガスを確実に噴出孔２０１から噴出させて改質器本体１０内に均一に拡散させることができる。ここで、燃料電池電源装置が可搬式である場合、改質器５０が平地のみならず傾斜地に設置されることがある。このような場合であっても、燃焼ガスが偏ることなく、改質器本体１０内に燃焼ガスを均一に拡散させることができるため、気化器４および過熱器５の加熱が均一となり、改質器５０を安定して運転させることが可能となる。
【００２８】
また、流動安定板１００に設ける噴出孔２０１を、例えば、円錐台状拡散板１１１，１２１の周方向等間隔に複数個設けるなど、噴出孔２０１の数や位置を変更するだけで、容易に燃焼ガスを均一に分散させることができる。また、特に改質器本体１０内に液体燃料を噴出させて燃焼させる場合には、液体燃料のうち未気化や未燃焼部分があったとしても、液体燃料の液滴が流動安定板１００の内側で受け止められる。受け止められた液滴は、流動安定板１００に吹き付けられた燃焼ガスによって再気化し、再燃焼するので、燃焼性能が向上する。これにより、排気ガスのＣＯ濃度を低下させたり、ＮＯＸ濃度を低下させたりすることができる。
【００２９】
また、円錐台状拡散板と底板とによって構成される流動安定板１００を、断面がＶ字状のＶ字流動安定板１１０や、底板を円錐状に形成した断面Ｗ字状のＷ字流動安定板１２０によって構成し、燃焼ガスの流れ方向の上流側にＶ字流動安定板１１０を配置し、下流側にＷ字流動安定板１２０を配置することにより、燃焼ガスを確実に噴出孔２０１から噴出させて改質器本体１０内で拡散させることができる。
【００３０】
また、流動安定板１００を、燃焼ガスの流れ方向の上流側から下流側に向かって順次大型化することにより、上流側に配置されたＶ字流動安定板１１０によって受け止め損ねた燃焼ガスを、下流側に配置されたＷ字流動安定板１２０によって受け止めることができる。このため、燃焼ガス流動路２０を流れる燃焼ガスをより確実に受け止めることができ、より多くの燃焼ガスを効率よく拡散させることが可能となる。
【００３１】
また、流動安定板１００の円錐台状拡散板に内側から外側に向かって突出する突起部２００を形成し、突起部２００の傾斜面における流動安定板１００の回転方向の一方側の面に、噴出孔２０１を形成することにより、流動安定板１００の円錐台状拡散板１１１，１２１の外周面に沿う方向に燃焼ガスが噴出孔２０１から噴出される。このため、噴出された燃焼ガスの反力によって流動安定板１００が回転し、噴出孔２０１から噴出される燃焼ガスが流動安定板１００の周囲に渦巻状に拡散され、燃焼ガスを改質器本体１０内により均一に分散させることができる。
【００３２】
また、バーナーノズル２を駆動することにより、燃料の噴射方向を傾斜可能とする。特に、改質器５０の傾斜時には、重力方向に対する改質器５０の傾斜角αよりも、重力方向に対する燃料の噴射角βが大きくなるように、燃料噴射方向を制御する。これにより、燃料の噴射方向を傾斜させない場合には、重力によって下方側に落下し、改質器本体１０内に燃焼ガスが偏って噴射されてしまが、バーナーノズル２から噴射する燃料の角度を傾斜させることにより、重力による落下分を相殺して改質器本体１０内に燃焼ガスを均一に噴射することができる。
【００３３】
本発明は、上述した実施形態に限定されるものではない。
【００３４】
例えば、各流動安定板１００を、支持軸１２によって回転可能に支持するものとしたが、各流動安定板１００を支持軸１２に固定し、支持軸１２を改質器本体１０に回転可能に立設することもできる。この場合にも、流動安定板１００の噴出孔２０１から噴出する燃焼ガスの反力によって流動安定板１００と共に支持軸１２も回転し、流動安定板１００の周囲に燃焼ガスを渦巻状に拡散させることができる。また、流動安定板１００を支持軸１２に固定し、モータ等によって支持軸１２を駆動して流動安定板１００を強制的に回転させるようにしてもよい。
【００３５】
また、支持軸１２に取り付けられる流動安定板１００を、支持軸１２の長手方向にスライド可能な構造としてもよい。これにより、流動安定板１００をスライドさせて、改質器５０の重心位置を支持軸１２の長手方向に変化させることができる。例えば、各流動安定板１００を改質器本体１０内の下方側にスライドさせて改質器５０の重心位置を下側に移動させた場合には、改質器５０を安定して運搬することが可能となる。
【００３６】
また、Ｖ字流動安定板１１０のバーナーノズル２側の面、および、Ｗ字流動安定板１２０のバーナーノズル２側の面に、燃焼ガスの流れ方向の上流側から下流側に向かって螺旋状に伸張する複数のフィンを立設してもよい。この場合には、流動安定板１００に吹き付けられる燃焼ガスを螺旋状のフィンが受け、燃焼ガスの風圧によって流動安定板１００が回転するため、燃焼ガスを改質器本体１０内により拡散させることができる。なお、流動安定板１００にフィンを設けた場合には、突起部２００を形成せずとも、円錐台状拡散板１１１，１２１に噴出孔２０１を設けるだけでもよい。
【００３７】
また、流動安定板１００の替わりにプロペラを支持軸１２に回転可能に取り付けてもよい。この場合にも、吹き付けられる燃焼ガスによってプロペラが回転し、燃焼ガスを改質器本体１０内により拡散させることができる。
【００３８】
また、流動安定板１００として、上記実施形態では、Ｖ字流動安定板１１０とＷ字流動安定板１２０をそれぞれ１つずつ設けるものとしたが、その数はこれに限定されない。また、Ｖ字流動安定板１１０とＷ字流動安定板１２０の配置順序についても、例えば、燃焼ガスの流れ方向上流側にＷ字流動安定板１２０を配置するなど、適宜選択することができる。
【符号の説明】
【００３９】
２…バーナーノズル、４…気化器、５…加熱器、６…触媒、１００…流動安定板、１１０…Ｖ字流動安定板、１１１，１２１…円錐台状拡散板、１１２…平状底板、１２０…Ｗ字流動安定板、１２２…円錐状底板、２００…突起部、２０１…噴出孔。
【図１】
0005430350.tif 000002
【図２】
0005430350.tif 000003
【図３】
0005430350.tif 000004
【図４】
0005430350.tif 000005
【図５】
0005430350.tif 000006
【図６】
0005430350.tif 000007
【図７】
0005430350.tif 000008